(57)【要約】      （修正有）【課題】より少ない時間で作業スケジュールを作成することができる計画生成システム、計画生成装置、計画生成方法及びコンピュータプログラムを提供する。【解決手段】計画生成システム（点検支援システム１）は、携帯端末２００と、計画生成装置（点検支援装置１００）とを持つ。携帯端末は、生体情報取得部と、通信部とを持つ。生体情報取得部は、就業者の状態を表す生体情報を取得する。通信部は、生体情報を送信する。計画生成装置は、情報更新部と、計画生成部とを持つ。情報更新部は、受信した生体情報に基づいて、就業者の状態を表す特徴情報を更新する。計画生成部は、業務の内容を表す業務情報と特徴情報とに基づいて、就業者が就業期間に行う業務を示す業務計画を生成する。【選択図】図１
2019061530.tif 000002
【特許請求の範囲】
【請求項１】
就業者の状態を表す生体情報を取得する生体情報取得部と、
前記生体情報を送信する通信部と、
を備える携帯端末と、
受信した前記生体情報に基づいて、前記就業者の状態を表す特徴情報を更新する情報更新部と、
業務の内容を表す業務情報と前記特徴情報とに基づいて、前記就業者が就業期間に行う業務を示す業務計画を生成する計画生成部と、
を備える計画生成装置と、
を備える、
計画生成システム。
【請求項２】
前記計画生成部は、業務の内容に基づいて、業務毎に優先度を決定し、前記優先度に基づいて、前記就業者に前記業務を割り当てることで前記業務計画を生成する、
請求項１に記載の計画生成システム。
【請求項３】
前記計画生成部は、前記就業期間に行う業務とは異なる業務を受け付けた場合、前記異なる業務を前記就業期間に行うように前記業務計画を生成する、
請求項１又は２に記載の計画生成システム。
【請求項４】
受信した就業者の状態を表す生体情報に基づいて、前記就業者の状態を表す特徴情報を更新する情報更新部と、
業務の内容を表す業務情報と前記特徴情報とに基づいて、前記就業者が就業期間に行う業務を示す業務計画を生成する計画生成部と、
を備える、
計画生成装置。
【請求項５】
携帯端末が、就業者の状態を表す生体情報を取得する生体情報取得ステップと、
携帯端末が、前記生体情報を送信する通信ステップと、
を有し、
計画生成装置が、受信した前記生体情報に基づいて、前記就業者の状態を表す特徴情報を更新する情報更新ステップと、
計画生成装置が、業務の内容を表す業務情報と前記特徴情報とに基づいて、前記就業者が就業期間に行う業務を示す業務計画を生成する計画生成ステップと、
を有する、
計画生成方法。
【請求項６】
請求項１から３のいずれか一項に記載の計画生成システムとしてコンピュータを機能させるためのコンピュータプログラム。
【発明の詳細な説明】
【技術分野】
【０００１】
本発明の実施形態は、計画生成システム、計画生成装置、計画生成方法及びコンピュータプログラムに関する。
【背景技術】
【０００２】
作業者は、事業所の各設備に対する定期点検及びメンテナンスの作業スケジュールを作成する。作業者は、作業スケジュールを作成する場合、各作業者の経験、スキル、体調及び業務負荷状況等の必要情報を他の作業者にヒアリングしながら作成する。さらに、作業者は、緊急で作業スケジュールの変更が発生した場合、作業スケジュールを再び作成することが必要となる。したがって、作業スケジュールの作成には、多くの時間を要してしまう場合があった。
【先行技術文献】
【特許文献】
【０００３】
【特許文献１】特開２００７−２４１３９３号公報
【特許文献２】特開２０１０−２７７４８４号公報
【特許文献３】特開２００４−１６４６１５号公報
【発明の概要】
【発明が解決しようとする課題】
【０００４】
本発明が解決しようとする課題は、より少ない時間で作業スケジュールを作成することができる計画生成システム、計画生成装置、計画生成方法及びコンピュータプログラムを提供することである。
【課題を解決するための手段】
【０００５】
実施形態の計画生成システムは、携帯端末と、計画生成装置とを持つ。携帯端末は、生体情報取得部と、通信部とを持つ。生体情報取得部は、就業者の状態を表す生体情報を取得する。通信部は、前記生体情報を送信する。計画生成装置は、情報更新部と、計画生成部とを持つ。情報更新部は、受信した前記生体情報に基づいて、前記就業者の状態を表す特徴情報を更新する。計画生成部は、業務の内容を表す業務情報と前記特徴情報とに基づいて、前記就業者が就業期間に行う業務を示す業務計画を生成する。
【図面の簡単な説明】
【０００６】
【図１】実施形態の点検支援システム１の構成図の一具体例を示す図。
【図２】実施形態の点検支援装置１００の機能構成を示す機能ブロック図。
【図３】実施形態の携帯端末２００の機能構成を示す機能ブロック図。
【図４】実施形態の作業者情報テーブルの一具体例を示す図。
【図５】実施形態の作業者情報テーブルをレーダーチャートで表した一具体例を示す図。
【図６】実施形態の作業情報テーブルの一具体例を示す図。
【図７】実施形態の作業者情報テーブルをレーダーチャートで表した一具体例を示す図。
【図８】実施形態の地図情報の一具体例を示す図。
【図９】実施形態の作業スケジュールの生成処理の流れを示すフローチャート。
【図１０】実施形態の作業スケジュールの一具体例を示す図。
【図１１】実施形態の作業スケジュールに変更があった場合の一具体例を示す図。
【図１２】実施形態の作業者情報テーブルの変形例の一具体例を示す図。
【発明を実施するための形態】
【０００７】
以下、実施形態の計画生成システム、計画生成装置、計画生成方法及びコンピュータプログラムを、図面を参照して説明する。
【０００８】
図１は、実施形態の点検支援システム１の構成図の一具体例を示す図である。点検支援システム１は、点検支援装置１００及び複数の携帯端末２００を備える。点検支援装置１００及び携帯端末２００は、ネットワーク３００を介して互いに通信可能に接続される。点検支援システム１は、計画生成システムの一態様である。
【０００９】
点検支援装置１００は、作業スケジュールを生成する。作業スケジュールは、所定期間内における各作業者の作業内容を表す。所定期間は、例えば、就業時間であってもよいし、２４時間であってもよい。携帯端末２００は、各作業者に所有される。携帯端末２００は、各作業者の生体情報又は点検情報を点検支援装置１００に送信する。生体情報は、皮膚温度、体温、脈拍又は移動速度等、作業者の状態を表す情報である。点検情報は、点検結果を記載する帳票や点検結果を撮像した画像等、点検作業に関する情報である。作業者は、就業者の一態様である。就業者は、点検等の業務を行う者である。点検支援装置１００は、計画生成装置の一態様である。計画生成装置は、指定された情報に基づいて、就業者によって行われる業務の計画を生成する。
【００１０】
図２は、実施形態の点検支援装置１００の機能構成を示す機能ブロック図である。点検支援装置１００は、パーソナルコンピュータ又はサーバ等の情報処理装置である。点検支援装置１００は、作業スケジュールを生成する。点検支援装置１００は、バスで接続されたＣＰＵ（Central Processing Unit）やメモリや補助記憶装置などを備える。点検支援装置１００は、点検制御プログラムを実行することによって、通信部１０１、作業者情報記憶部１０２、作業情報記憶部１０３、スケジュール記憶部１０４、入力部１０５、表示部１０６及び制御部１０７として機能する。作業スケジュールは、業務計画の一態様である。業務計画は、各就業者が遂行する業務の時間割を表す。
【００１１】
通信部１０１は、ネットワークインタフェースである。通信部１０１はネットワーク３００を介して、点検支援装置１００及び携帯端末２００と通信する。通信部１０１は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００１２】
作業者情報記憶部１０２は、作業者情報テーブルを記憶する。作業者情報テーブルは、作業者毎に作業者情報レコードを記憶する。作業者情報テーブルは、予め作業者情報記憶部１０２に記憶される。作業者情報レコードは、情報更新部１０８によって生成又は更新される。作業者情報記憶部１０２は、磁気ハードディスク装置や半導体記憶装置等の記憶装置を用いて構成される。作業者には、実際に点検作業を行う作業員と作業員を指揮及び監督する作業長とを含まれる。作業長は、実際に点検作業を行ってもよい。
【００１３】
作業情報記憶部１０３は、作業情報テーブルを記憶する。作業者情報テーブルは、作業内容毎に作業情報レコードを記憶する。作業情報テーブル及び作業情報レコードは、予め作業情報記憶部１０３に記憶される。作業情報記憶部１０３は、地図情報を記憶する。地図情報は、作業が行われる場所、距離及び場所名を含む。作業者情報記憶部１０２は、磁気ハードディスク装置や半導体記憶装置等の記憶装置を用いて構成される。
【００１４】
スケジュール記憶部１０４は、作業スケジュールを記憶する。作業スケジュールは、スケジュール生成部１０９によって記憶される。スケジュール記憶部１０４は、磁気ハードディスク装置や半導体記憶装置等の記憶装置を用いて構成される。
【００１５】
入力部１０５は、タッチパネル、マウス及びキーボード等の入力装置を用いて構成される。入力部１０５は、入力装置を点検支援装置１００に接続するためのインタフェースであってもよい。この場合、入力部１０５は、入力装置において入力された入力信号から入力データ（例えば、点検支援装置１００に対する指示を示す指示情報）を生成し、点検支援装置１００に入力する。
【００１６】
表示部１０６は、ＣＲＴ（Cathode Ray Tube）ディスプレイ、液晶ディスプレイ、有機ＥＬ（Electro Luminescence）ディスプレイ等の出力装置である。表示部１０６は、出力装置を点検支援装置１００に接続するためのインタフェースであってもよい。この場合、表示部１０６は、映像データから映像信号を生成し自身に接続されている映像出力装置に映像信号を出力する。
【００１７】
制御部１０７は、点検支援装置１００の各部の動作を制御する。制御部１０７は、例えばＣＰＵ及びＲＡＭ（Random Access Memory）を備えた装置により実行される。制御部１０７は、点検制御プログラムを実行することによって、情報更新部１０８、スケジュール生成部１０９、グラフ生成部１１０及び支援情報生成部１１１として機能する。
【００１８】
情報更新部１０８は、作業者情報テーブルの作業者情報レコードを更新する。具体的には、情報更新部１０８は、作業者の生体情報を受信すると、生体情報から体調の値を決定する。情報更新部１０８は、予め与えられた基準値と生体情報との乖離の大きさに応じて、体調の値を決定する。例えば、生体情報が体温であり、基準値が３６．５度であるとした場合について説明する。情報更新部１０８は、受信した生体情報（体温）が３６．５度より高い又は小さいほど、体調の値は１以上３以下の値に決定する。これに対して、情報更新部１０８は、受信した生体情報（体温）が３６．５度に近いほど、体調の値は３以上５以下の値に決定する。情報更新部１０８は、決定した体調の値を、送信元の携帯端末２００を所有する作業者に対応する生体情報レコードの体調の値として更新する。基準値は、動的に決定されてもよい。情報更新部１０８は、体調の値が所定の値以下となる作業者が現れた場合、作業スケジュールの再作成をスケジュール生成部１０９に指示してもよい。所定の値とは、例えば１であってもよいし、２であってもよい。体調の値は、特徴情報の一態様である。特徴情報は、体温、脈拍、脳波又は血圧等の作業者の状態を表す情報である。特徴情報は、情報更新部１０８によって生成される。情報更新部１０８は、受信した生体情報に対して所定の処理を行うことで特徴情報を生成する。所定の処理では、情報更新部１０８は、例えば、予め定められた閾値との差分値を算出し、差分値に対応付けられた階級を特徴情報として決定してもよいし、統計処理によって決定された情報を特徴情報として決定してもよい。統計処理では、例えば、蓄積された生体情報の経時変化を示す折れ線グラフが生成されてもよいし、平均値、分散値等のどのような統計値が算出されてもよい。
【００１９】
情報更新部１０８は、作業者情報レコードの業務負荷状況の値を更新する。具体的には、情報更新部１０８は、各作業者が、各作業者が得意ではない（例えば、２以下）点検作業を行なった場合、事務作業を行なっていない場合、危険度の高い作業（例えば、４以上）を行なった場合又は時間外業務が所定期間続いた場合に、作業者に対応する生体情報レコードの作業負荷状況の値を、１以上３以下の値を業務負荷状況の値として更新する。
【００２０】
情報更新部１０８は、作業情報テーブルを更新する。情報更新部１０８は、ネットワーク３００を介して、気象情報配信サーバから気象情報を受信する。情報更新部１０８は、受信した気象情報から天気情報を取得する。情報更新部１０８は、天気情報を各作業情報レコードの天気の値として記憶させる。
【００２１】
スケジュール生成部１０９は、予め指定されたタイミングで作業者情報テーブル及び作業情報テーブルに基づいて、作業スケジュールを生成する。スケジュール生成部１０９は、生成した作業スケジュールを、スケジュール記憶部に記憶させる。スケジュール生成部１０９は、生成した作業スケジュールを携帯端末２００に送信してもよい。スケジュール生成部１０９は、計画生成部の一態様である。
【００２２】
グラフ生成部１１０は、作業者情報テーブル又は作業テーブルに記憶される情報に基づいて、グラフを生成する。グラフは、例えば、レーダーチャートであってもよいし、折れ線グラフであってもよい。グラフは、既存の表計算用のソフトウェアを用いて生成されてもよい。
【００２３】
支援情報生成部１１１は、スケジュール記憶部１０４に記憶された作業スケジュールに基づいて、支援情報を生成する。支援情報は、各作業者が、点検作業を行う場合に、支障なく点検作業が行えるように、各作業者に伝える情報である。具体的には、天気が雨の中で作業を行う場合、”足元に注意”のメッセージを作業スケジュールに付加してもよいし、高所作業を行う作業者に対して“作業長と作業員は、階段移動時に注意し、高所作業のため安全帯を着用してください。”のメッセージを作業スケジュールに付加してもよい。支援情報生成部１１１は、携帯端末２００に、メール等の通信手段で作業者にメッセージを送信してもよい。
【００２４】
図３は、実施形態の携帯端末２００の機能構成を示す機能ブロック図である。携帯端末２００は、スマートフォン、タブレットコンピュータ又はパーソナルコンピュータ等の情報処理装置を用いて構成される。携帯端末２００は、各作業者の生体情報又は点検情報を点検支援装置１００に送信する。携帯端末２００は、バスで接続されたＣＰＵやメモリや補助記憶装置などを備える。携帯端末２００は、点検制御プログラムを実行することによって、第１通信部２０１、第２通信部２０２、入力部２０３、表示部２０４、撮像部２０５及び制御部２０６として機能する。
【００２５】
第１通信部２０１は、ネットワークインタフェースである。第１通信部２０１はネットワーク３００を介して、点検支援装置１００と通信する。第１通信部２０１は、例えば無線ＬＡＮ、有線ＬＡＮ又はＬＴＥ（登録商標）等の通信方式で通信してもよい。
【００２６】
第２通信部２０２は、ネットワークインタフェースである。第２通信部２０２は、ウェアラブル端末等の各作業者が有する装置と無線通信を行う。第２通信部２０２は、例えばＢｌｕｅｔｏｏｔｈ（登録商標）、ＬＴＥ（登録商標）又はＤＳＲＣ（Dedicated Short Range Communication）等の通信方式で通信してもよい。
【００２７】
入力部２０３は、タッチパネル、マウス及びキーボード等の入力装置を用いて構成される。入力部２０３は、入力装置を携帯端末２００に接続するためのインタフェースであってもよい。この場合、入力部２０３は、入力装置において入力された入力信号から入力データ（例えば、携帯端末２００に対する指示を示す指示情報）を生成し、携帯端末２００に入力する。
【００２８】
表示部２０４は、ＣＲＴディスプレイ、液晶ディスプレイ、有機ＥＬディスプレイ等の出力装置である。表示部２０４は、出力装置を携帯端末２００に接続するためのインタフェースであってもよい。この場合、表示部２０４は、映像データから映像信号を生成し自身に接続されている映像出力装置に映像信号を出力する。
【００２９】
撮像部２０５は、カメラ等の既存の撮像装置である。撮像部２０５は、撮像装置を携帯端末２００に接続するためのインタフェースであってもよい。この場合、撮像部２０５は、撮像装置において撮像された撮像信号から画像データを生成し、携帯端末２００に入力する。
【００３０】
制御部２０６は、携帯端末２００の各部の動作を制御する。制御部２０６は、例えばＣＰＵ及びＲＡＭを備えた装置により実行される。制御部２０６は、生体情報取得プログラムを実行することによって、生体情報取得部２０７として機能する。
【００３１】
生体情報取得部２０７は、第２通信部２０２を介して生体情報を取得する。生体情報取得部２０７は、取得した生体情報を点検支援装置１００へ送信する。
【００３２】
図４は、実施形態の作業者情報テーブルの一具体例を示す図である。作業者情報テーブルは、作業者情報レコードを有する。作業者情報レコードは、作業者、点検スキル（機械系）、点検スキル（電気系）、点検スキル（総合）、体調及び業務付加状況の各値を有する。作業者は、点検作業を行う者を識別する情報である。点検スキル（機械系）は、機械の駆動、構造を点検するスキルの習熟度を表す。点検スキル（電気系）は、機械を電気的に稼働させるための設備を点検するスキルの習熟度を表す。点検スキル（総合）は、設備全体を管理、点検するスキルの習熟度を表す。各点検スキルは、経験年数と正の相関を有してもよい。体調は、作業者の体調の状況を表す。業務負荷状況は、作業者の業務量の多さを表す。
【００３３】
図４に示される例では、作業者情報テーブルの最上段のレコードは、作業者の値が“作業長”、点検スキル（機械系）の値が“５”、点検スキル（電気系）の値が“５” 点検スキル（総合）の値が“３”、体調の値が”４”及び業務負荷状況の値が”３”であることがわかる。なお、図４に示される作業者情報テーブルは一具体例に過ぎない。そのため、図４とは異なる態様で作業者情報テーブルが構成されてもよい。例えば、作業者情報テーブルは、各項目の優先度の値を有してもよい。
【００３４】
図５は、実施形態の作業者情報テーブルをレーダーチャートで表した一具体例を示す図である。グラフ生成部１１０は、作業者情報テーブルに基づいてレーダーチャートを生成する。グラフ生成部１１０は、レーダーチャートを表示部１０６に表示させる。作業者は、レーダーチャートを確認することで、作業者毎に得意なスキル、体調及び業務負荷状況をより簡単に確認できる。また、作業者は、レーダーチャートを確認することで、作業スケジュールの見直し、ミーティングの効率化を行うことができる。レーダーチャートは、作業スケジュールに付加されてもよいし、各携帯端末２００に送信されてもよい。
【００３５】
図６は、実施形態の作業情報テーブルの一具体例を示す図である。作業情報テーブルは、作業情報レコードを有する。作業情報レコードは、作業内容、危険度、移動距離、作業環境、最低必要人員、天気及び作業時間の各値を有する。作業内容は、各作業を識別する情報である。危険度は、作業にどの程度の危険を伴うかを表す。移動距離は、開始地点（例えば、中央管理棟）から、作業場所までの距離を表す。作業環境は、作業を行う場所の特徴を表す。例えば、４は地下で行う作業である。最低必要人員は、作業を行うために必要となる人員の数を表す。天気は作業場所の近隣の天気を表す。作業時間は、作業を行うために必要となる時間の長さを表す。
【００３６】
図６に示される例では、作業情報テーブルの最上段のレコードは、作業内容の値が“ミーティング”、移動距離の値が“１”、作業環境の値が“１”、最低必要人員の値が“４”、天気の値が”２”及び作業時間の値が”２”であることがわかる。なお、図６に示される作業情報テーブルは一具体例に過ぎない。そのため、図６とは異なる態様で作業情報テーブルが構成されてもよい。例えば、作業情報テーブルは、必要点検スキルの値を有してもよい。
【００３７】
図７は、実施形態の作業情報テーブルをレーダーチャートで表した一具体例を示す図である。グラフ生成部１１０は、作業情報テーブルに基づいてレーダーチャートを生成する。グラフ生成部１１０は、レーダーチャートを表示部１０６に表示させる。作業者は、レーダーチャートを確認することで、作業者毎に得意なスキル、体調及び業務負荷状況をより簡単に確認できる。また、作業者は、レーダーチャートを確認することで、作業スケジュールの見直し、ミーティングの効率化を行うことができる。レーダーチャートは、作業スケジュールに付加されてもよいし、各携帯端末２００に送信されてもよい。
【００３８】
図８は、実施形態の地図情報の一具体例を示す図である。地図情報は、作業情報記憶部１０３に記憶される。地図情報は、制御部１０７によって表示部１０６に表示される。図８の地図情報によると、機械棟Ａ、機械棟Ｂ、電気棟Ａ、電気棟Ｂ、貯水池及び中央管理棟が含まれる。中央管理棟と機械棟Ａ及び電気棟Ａとの距離は３００ｍであることがわかる。中央管理棟と貯水池との距離は５０ｍであることがわかる。中央管理棟と機械棟Ｂ及び電気棟Ｂとの距離は１５０ｍであることがわかる。作業情報に含まれる移動距離の値は、中央管理棟との距離に基づいて決定される。
【００３９】
図９は、実施形態の作業スケジュールの生成処理の流れを示すフローチャートである。点検支援装置１００の情報更新部１０８は、生体情報及び気象情報を受信する（ステップＳ１０１）。情報更新部１０８は、生体情報及び気象情報に基づいて、作業者情報テーブル及び作業情報テーブルを更新する（ステップＳ１０２）。
【００４０】
スケジュール生成部１０９は、現在の時間が作業スケジュールの生成時間であるか否か判定する（ステップＳ１０３）。作業スケジュール生成時間である場合（ステップＳ１０３：ＹＥＳ）、スケジュール生成部１０９は、作業者情報テーブル及び作業情報テーブルに基づいて、作業スケジュールを生成する（ステップＳ１０４）。作業スケジュールの生成時間でない場合（ステップＳ１０３：ＮＯ）、ステップＳ１０１に遷移する。スケジュール生成部１０９は、生成した作業スケジュールをスケジュール記憶部１０４に記憶させる（ステップＳ１０５）。
【００４１】
図１０は、実施形態の作業スケジュールの一具体例を示す図である。作業スケジュールは、スケジュール生成部１０９によって生成される。作業スケジュールは領域４００及び領域５００で構成される。領域４００は、午前の作業スケジュールを表す。領域４００によると、午前の作業は、８：００から１２：００まで行われる。午前の作業の時間は、予めスケジュール生成部１０９に与えられる。領域４００は、領域４０１及び領域４０２を含む。領域４０１は、各作業者の名称を表す領域である。領域４０２は、各作業者が行う作業内容を表す領域である。
【００４２】
領域５００は、午後の作業スケジュールを表す。領域５００によると、午後の作業は、１３：００から１７：００まで行われる。午後の作業の時間は、予めスケジュール生成部１０９に与えられる。領域５００は、領域５０１及び領域５０２を含む。領域５０１は、各作業者の名称を表す領域である。領域５０２は、各作業者が行う作業内容を表す領域である。
【００４３】
スケジュール生成部１０９は、作業者情報テーブル及び作業情報テーブルに基づいて、作業スケジュールを生成する。具体的には、スケジュール生成部１０９は、作業者情報テーブルから各作業者の値を取得する。スケジュール生成部１０９は、作業者の値を領域４０１及び領域５０１に割り当てる。次に、スケジュール生成部１０９は、作業情報テーブルから各作業内容の値を取得する。スケジュール生成部１０９は、各作業内容の優先度を決定する。優先度は、作業情報レコードの各値に基づいて決定される。スケジュール生成部１０９は、例えば、最低必要人員が多い作業の優先度を高くしてもよいし、作業時間が長い作業の優先度を高くしてもよい。スケジュール生成部１０９は、最低必要人員と作業時間とにそれぞれ重みづけし、乗算することで決定してもよい。スケジュール生成部１０９は、他の方法を用いて優先度を決定してもよい。
【００４４】
次に、スケジュール生成部１０９は、各作業者の点検スキル、体調、業務負荷状況、危険度及び作業内容の優先度に基づいて、各作業者に割り当てる作業を決定する。具体的には、スケジュール生成部１０９は、作業者の体調が悪い（例えば、２以下）又は業務負荷状況が高い（例えば、２以下）の場合、危険度の低い（例えば、２以下）の作業を割り当てる。スケジュール生成部１０９は、点検スキルが高い（例えば、４以上）作業者に対して、危険度の高い作業（例えば、４以上）を割り当てる。スケジュール生成部１０９は、作業内容の優先度が高い順番に作業が完了するように割り当ててもよい。
【００４５】
スケジュール生成部１０９は、作業者に割り当てる作業内容を決定すると、作業情報テーブルから作業時間の値を取得する。スケジュール生成部１０９は、作業時間の値を領域４０１及び領域５０１に割り当てる。スケジュール生成部１０９は、全作業者の作業時間が所定の差に収まるように作業を割り当てる。所定の差は、例えば１時間以内であってもよいし、３０分以内であってもよい。スケジュール生成部１０９は、予め指定された時間に全ての作業が終わらない場合、午後の作業の時間を延長してもよい。
【００４６】
図１１は、実施形態の作業スケジュールに変更があった場合の一具体例を示す図である。作業スケジュールの変更は、点検支援装置１００に対して新しい点検作業が追加された場合に行われる。変更後の作業スケジュールは、スケジュール生成部１０９によって生成される。領域５００ａは、変更後の作業スケジュールである。領域５００ａは、領域５０１ａ及び領域５０２ａを含む。
【００４７】
領域５０１ａは、各作業者の名称を表す領域である。領域５０１ａは、領域５０１ｂを含む。領域５０１ｂは、変更が行われた作業者を表す。領域５０１ｂによると、作業長及び作業員３に変更が行われたことがわかる。領域５０２ａは、各作業者が行う作業内容を表す領域である。領域５０２ａは、領域５０２ｂを含む。領域５０２ｂは、変更が行われた時間を表す。領域５０２ｂによると、午後の作業スケジュールのうち、１６：００から１７：００までの作業として、点検５が割り当てられたことがわかる。作業スケジュールの変更は、作業者の体調悪化又は体調回復、気象情報等によって行われてもよい。
【００４８】
このように構成された点検支援システム１では、作業者情報テーブル及び作業情報テーブルに、各作業者の点検スキル、体調、業務負荷状況、及び作業内容の危険度、移動距離、作業環境、最低必要人員、天気等の作業スケジュールの生成に必要な情報が記憶される。スケジュール生成部１０９は、作業者情報テーブル及び作業情報テーブルに基づいて、作業スケジュールを生成する。したがって、作業者は、これまで作業前に作業スケジュールを作成する時間を大きく短縮できる。また、作業者は、作業内容の変更が行われた場合、都度スケジュールを再作成していた。しかし、スケジュール生成部１０９は、作業内容の変更が行われた場合も、変更内容に基づいて、作業スケジュールを生成する。したがって、作業者は、生成されたスケジュールを確認するだけでよく、スケジュールを再び作成する時間を大きく短縮できる。
【００４９】
図１２は、実施形態の作業者情報テーブルの変形例の一具体例を示す図である。グラフ生成部１１０は、所定の項目をレーダーチャートから抜き出して、レーダーチャートを生成してもよい。所定の項目は、例えば、予め指定された項目であってもよい。図１２によると、所定の項目は“体調”である。このように構成されることで、特定の項目をより目立つように表示させ、作業者に認識させることができる。
【００５０】
上記各実施形態では、スケジュール生成部１０９はソフトウェア機能部であるものとしたが、ＬＳＩ等のハードウェア機能部であってもよい。
【００５１】
以上説明した少なくともひとつの実施形態によれば、スケジュール生成部１０９を持つことにより、作業スケジュールの作成時間を短縮することができる。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１…点検支援システム、１００…点検支援装置、１０１…通信部、１０２…作業者情報記憶部、１０３…作業情報記憶部、１０４…スケジュール記憶部、１０５…入力部、１０６…表示部、１０７…制御部、１０８…情報更新部、１０９…スケジュール生成部、１１０…グラフ生成部、１１１…支援情報生成部、２００…携帯端末、２０１…第１通信部、２０２…第２通信部、２０３…入力部、２０４…表示部、２０５…撮像部、２０６…制御部、２０７…生体情報取得部、３００…ネットワーク
【図１】
2019061530.tif 000003
【図２】
2019061530.tif 000004
【図３】
2019061530.tif 000005
【図４】
2019061530.tif 000006
【図５】
2019061530.tif 000007
【図６】
2019061530.tif 000008
【図７】
2019061530.tif 000009
【図８】
2019061530.tif 000010
【図９】
2019061530.tif 000011
【図１０】
2019061530.tif 000012
【図１１】
2019061530.tif 000013
【図１２】
2019061530.tif 000014